(57)【特許請求の範囲】
【請求項１】
透水性材料から成る縦長のバッグ本体と、前記バッグ本体の両側面の幅方向の中央部にそれぞれ配置されて固定されカップ等の容器に係止するホルダとを具備して、前記バッグ本体の上端部を破断して開口を形成し、前記開口から抽出液を注ぎ入れる抽出用バッグにおいて、前記ホルダは、前記バッグ本体に固着される固着部と、前記固着部に連続して形成され、前記バッグ本体から離間可能な係止部からなり、前記固着部には前記固着部と幅寸法が同じで、その上端が前記開口の近傍にまで延びる延長部が設けられ、前記延長部の左右の両端部には他の部分より折り曲げ易くなる加工を施した上下方向に延び、下方にいくに従って互いに近づく方向へ傾斜した一対の折り目部が形成され、一方、前記係止部の先端部には摘み部が一体に形成されて、前記摘み部を摘んで前記係止部を引き起こし前記容器に係止すると、前記固着部及び前記係止部の一部が前記容器に入り込んだ状態で係止されることを特徴とする抽出用バッグ。
【請求項２】
請求項１に記載した抽出用バッグにおいて、延長部は、ホルダを容器に係止した状態で前記容器に溜まった抽出液に浸らない位置に設けられ、且つ印刷によって表示が施される表示部となっていることを特徴とする抽出用バッグ。
【発明の詳細な説明】
【技術分野】
【０００１】
本発明は茶葉やレギュラーコーヒー等の抽出用バッグに係り、特にバッグ本体とこのバッグ本体に取り付けられたホルダとから成る抽出用バッグに関するものである。
【背景技術】
【０００２】
茶葉、レギュラーコーヒー等を封入した透水性材料製のバッグ本体と、このバッグ本体の側面に固定された厚紙製のホルダとから成る抽出用バッグが広く用いられており、この抽出用バッグには、例えば特許文献１に記載されたものがある。
この抽出用バッグを使用する場合には、バッグ本体の上端部を破り取って開口を形成する。次いで、ホルダを引き起こしてカップの縁に係止させて、バッグ本体をカップに支持する状態とする。この状態ではバッグ本体の一部とホルダの一部がカップに入り込み、また、バッグ本体の開口の近傍部分はホルダによって支持されて、開口が開いた状態に保持される。そして、この開口から湯等の抽出液を注ぎ入れて、レギュラーコーヒー等の抽出を行う。
【０００３】
ところで、バッグ本体に封入されるレギュラーコーヒーの量は通常８ｇ前後であり、このレギュラーコーヒーを増量して例えばレギュラーコーヒーの量を２０ｇとする場合には、バッグ本体を大容量のものとなるように形成する必要がある。バッグ本体は幅寸法をカップ等の容器に入り込むサイズに設定して形成されるので、バッグ本体の幅寸法を大きくするのは限界があり、従って、バッグ本体を上方向へ延ばして縦長に形成することになる。
【先行技術文献】
【特許文献】
【０００４】
【特許文献１】特開２０１０−１１０３３５号公報
【発明の概要】
【発明が解決しようとする課題】
【０００５】
しかしながら、上記したようにバッグ本体を上方向へ延ばして縦長に形成すると、ホルダの上端からバッグ本体の開口までの距離が長くなり、ホルダではバッグ本体の開口の近傍部分を支持できないことになる。従って、開口が不用意に閉じてしまうという問題がある。
また、ホルダはカップに溜まった抽出液に浸ることになるので、衛生上の問題からホルダには印刷等による表示を施すことができない。
【０００６】
本発明は上記従来の問題点に着目して為されたものであり、バッグ本体を上方向へ延ばして縦長に形成しても、バッグ本体の開口の近傍部分を支持することができ、開口が不用意に閉じてしまうのを防止することが可能となり、また、印刷等による表示を施せる表示部を設けることができる抽出用バッグを提供することを、その目的とする。
【課題を解決するための手段】
【０００７】
本発明は上記課題を解決するためになされたものであり、請求項１の発明は、透水性材料から成る縦長のバッグ本体と、前記バッグ本体の両側面の幅方向の中央部にそれぞれ配置されて固定されカップ等の容器に係止するホルダとを具備して、前記バッグ本体の上端部を破断して開口を形成し、前記開口から抽出液を注ぎ入れる抽出用バッグにおいて、前記ホルダは、前記バッグ本体に固着される固着部と、前記固着部に連続して形成され、前記バッグ本体から離間可能な係止部からなり、前記固着部には前記固着部と幅寸法が同じで、その上端が前記開口の近傍にまで延びる延長部が設けられ、前記延長部の左右の両端部には他の部分より折り曲げ易くなる加工を施した上下方向に延び、下方にいくに従って互いに近づく方向へ傾斜した一対の折り目部が形成され、一方、前記係止部の先端部には摘み部が一体に形成されて、前記摘み部を摘んで前記係止部を引き起こし前記容器に係止すると、前記固着部及び前記係止部の一部が前記容器に入り込んだ状態で係止されることを特徴とする抽出用バッグである。
【０００８】
請求項２の発明は、請求項１に記載した抽出用バッグにおいて、延長部は、ホルダを容器に係止した状態で前記容器に溜まった抽出液に浸らない位置に設けられ、且つ印刷によって表示が施される表示部となっていることを特徴とする抽出用バッグである。
【発明の効果】
【００１０】
本発明の抽出用バッグによれば、バッグ本体を上方向へ延ばして縦長に形成しても、バッグ本体の開口の近傍部分を支持することができ、開口が不用意に閉じてしまうのを防止することが可能となる。また、印刷等による表示を施すことができる表示部を設けることが可能である。
【図面の簡単な説明】
【００１１】
【図１】本発明の実施の形態に係る抽出用バッグの正面図である。
【図２】図１の抽出用バッグの使用状態を示す斜視図である。
【図３】図１の抽出用バッグの使用状態を示す側面図である。
【発明を実施するための形態】
【００１２】
本発明の実施の形態に係る抽出用バッグ１を図面にしたがって説明する。
符号３はバッグ本体を示し、このバッグ本体３は透水性を有する材料、例えばポリエチレン繊維製不織布によって構成されている。バッグ本体３は、長方形のシートを二つ折りにして折り曲げ部を形成し、この折り曲げ部が形成された辺以外の三辺をシールして矩形袋状に形成されている。このバッグ本体３は、高さ寸法が１０ｃｍ、幅寸法が８ｃｍの大容量のものとなっている。バッグ本体３の上端部には、上辺に沿うミシン目５が設けられている。
バッグ本体３には図示しないレギュラーコーヒーが２０ｇ封入されている。
【００１３】
バッグ本体３の両側面にはホルダ７がそれぞれ設けられており、これらのホルダ７はバッグ本体３の幅方向の中央部に配置されている。ホルダ７は厚紙に切り込みやミシン目等を入れて形成されており、このホルダ７はバッグ本体３に固着された固着部９と、固着部９に連続して形成された係止部１１とから成っている。なお、係止部１１はバッグ本体３に固着されておらず、バッグ本体３から離間可能となっている。
【００１４】
ホルダ７の固着部９の上端部には延長部１３が一体に形成されており、この延長部１３もバッグ本体３に固着されている。図１に示す仮想線を境にして下側の部分が固着部９となっており、上側の部分が延長部１３となっている。延長部１３の幅寸法はホルダ７の固着部９の幅寸法と同じサイズに設定され、この幅寸法はバッグ本体３の幅寸法の約５分の３となっている。また、延長部１３の上端はバッグ本体３のミシン目５の近傍にまで延びている。すなわち、延長部１３の上端はミシン目５より下で、且つ後述するように開口２１が不用意に閉じるのを防止することができる位置に備えられている。
延長部１３は表示部となっており、延長部１３には印刷によって商品名等の表示Ｈが施されている。
【００１５】
延長部１３と固着部９の左右の両端部には、部分的に切り込みを入れる等して他の部分より折り易くなる加工を施した一対の折り目部１５がそれぞれ形成されている。一対の折り目部１５は上下方向に延びており、下方へいくに従って互いに近づく方向へ約１０°傾斜している。
係止部１１の先端部には摘み部１９が一体に形成されている。この摘み部１９の先端は円弧状に形成されており、これにより摘み部１９を摘み易くなっている。
【００１６】
次に、抽出用バッグ１の使用方法について説明する。
図２に示すようにバッグ本体３の上端部をミシン目５に沿って破断して、バッグ本体３の上端に開口２１を形成する。上記のように延長部１３の上端はミシン目５より少し下がった位置に備えられているので、バッグ本体３の上端部をミシン目５に沿って破断する際に邪魔になることはない。
そして、摘み部１９を摘んで係止部１１を引き起こし、一対の折り目部１５を外側へ向けて折り曲げる。そして係止部１１を容器としてのカップＣの縁に係止させて、バッグ本体３をカップＣに支持する状態とする。この状態ではバッグ本体３の一部と、ホルダ７の固着部９及び係止部１１の一部がカップＣに入り込む。
【００１７】
前述したようにホルダ７には折り目部１５が形成された延長部１３が一体に形成され、この延長部１３はバッグ本体３に固着されている。しかも、延長部１３の上端は開口２１の近傍にまで延びている。従って、バッグ本体３の開口２１の近傍部分は、折り目部１５において折り曲げられた延長部１３によって支持されて、開口２１が開いた状態に確実に保持される。
【００１８】
このように、バッグ本体３を縦長に形成しても、延長部１３が開口２１を開いた状態に保持するので、開口２１が不用意に閉じてしまうのを防止することが可能である。
【００１９】
次いで、バッグ本体３の開口２１から抽出液としての湯を注ぎ入れて、レギュラーコーヒーの抽出を行う。抽出成分を含む湯はバッグ本体３から滲出してカップＣに貯留される。
図３に示すように延長部１３はカップＣの上面よりも上側に位置し、カップＣから露出している。従って、表示部である延長部１３はカップＣに溜まった湯に浸ることがないので、衛生上の問題は生じない。
このように延長部１３は表示部として機能するので、延長部１３に種々の表示Ｈを施すことが可能である。
【００２０】
以上、本発明の実施の形態について詳述してきたが、具体的構成は、この実施の形態に限られるものではなく、本発明の要旨を逸脱しない範囲における設計の変更などがあっても発明に含まれる。
上記実施の形態では、延長部１３の幅寸法をバッグ本体３の幅寸法の約５分の３に設定したが、延長部１３の幅寸法を適宜変更してもよい。
バッグ本体３を、高さ寸法が１０ｃｍ、幅寸法が８ｃｍのものとしたが、バッグ本体３の寸法を適宜変更してもよい。
【００２１】
バッグ本体３にレギュラーコーヒーを封入したが、例えば、茶葉等をバッグ本体３に封入してもよい。また、レギュラーコーヒーの量を２０ｇとしたが、レギュラーコーヒーの量を適宜変更してもよい。
ホルダ７をバッグ本体３の両側面にそれぞれ設ける構成としたが、ホルダ７をバッグ本体３の一方の側面だけに設ける構成としてもよい。また、ホルダ７をバッグ本体３の幅方向の中央部に配置したが、ホルダ７の位置を適宜変更してもよい。
容器をカップＣとしたが、容器を、例えばグラスや紙コップとしてもよい。
また、一対の折り目部１５を下方へいくに従って互いに近づく方向へ約１０°傾斜する構成としたが、この傾斜角度は任意設定でき、更に傾斜せず上下方向へ真っ直ぐに延びる構成としてもよい。
【産業上の利用可能性】
【００２２】
本発明は、抽出用バッグの製造業に利用可能である。
【符号の説明】
【００２３】
１…抽出用バッグ      ３…バッグ本体      ５…ミシン目
７…ホルダ      ９…固着部      １１…係止部
１３…延長部      １５…折り目部
１９…摘み部      ２１…開口
Ｈ…表示      Ｃ…カップ
【図１】
0005894740.tif 000002
【図２】
0005894740.tif 000003
【図３】
0005894740.tif 000004